(57)【要約】      （修正有）【課題】セルモジュール間電圧バランス、及び蓄電池モジュール間電圧バランスの制御に対応する放熱性能の高い蓄電池モジュールの提供。【解決手段】対向する外装カバー１１０と、外装カバー内に収納される複数の電池セルと、外装カバーに架かり該外装カバーを支持する互いに平行な三枚の支持板１３０、１４０、１５０と、三枚の支持板のうち一方の端側の支持板１４０に充放電用端子と、他方の端側の支持板１３０に制御コネクタと、を備える蓄電池モジュール１００。【選択図】図１
2019145419.tif 000002
【特許請求の範囲】
【請求項１】
対向する外装カバーと、
前記外装カバー内に収納される複数の電池セルと、
前記外装カバーに架かり該外装カバーを支持する互いに平行な三枚の支持板と、
前記三枚の支持板のうち一方の端側の支持板に充放電用端子と、
他方の端側の支持板に制御コネクタと、
を備えることを特徴とする蓄電池モジュール。
【請求項２】
前記対向する外装カバーは、同一部品であり、前記三枚の支持板のうち二枚は、同一部品である請求項１に記載の蓄電池モジュール。
【請求項３】
前記制御コネクタには、入出力基板が接続する請求項１又は請求項２に記載の蓄電池モジュール。
【請求項４】
前記複数の電池セル間は、帯鋼を任意の長さで切断した複数の部材によって導通させることを特徴とする請求項１から請求項３のうちいずれか一の請求項に記載の蓄電池モジュール。
【請求項５】
前記部材の一部は、前記一方の端側の支持板外側に露出し、前記充放電用端子の一部を構成する請求項４に記載の蓄電池モジュール。
【請求項６】
前記部材の一部は、前記一方の端側の支持板を貫通する請求項５に記載の蓄電池モジュール。
【請求項７】
前記複数の部材のうち一部の部材同士は、互いに交差し、交差部で接合することで、前記複数の電池セル間を導通させる請求項６に記載の蓄電池モジュール。
【請求項８】
前記三枚の支持板のうち、中間の支持板に中継基板を備えることを特徴とする請求項１から請求項７のうちいずれか一の請求項に記載の蓄電池モジュール。
【請求項９】
前記複数の電池セルは、前記対向する外装カバーによって挟持されることを特徴とする請求項１から請求項８のうちいずれか一の請求項に記載の蓄電池モジュール。
【請求項１０】
前記制御コネクタと前記充放電用端子は、前記外装カバーの内側に位置することを特徴とする請求項１から請求項９のうちいずれか一の請求項に記載の蓄電池モジュール。
【請求項１１】
請求項３に記載の蓄電池モジュール組み立て方法。
【発明の詳細な説明】
【技術分野】
【０００１】
本発明は、組み立て容易性、熱対策を考慮した蓄電池モジュールに関する。
【背景技術】
【０００２】
世界的な省エネニーズの高まりから、畜電池の需要は増加傾向にあり、中でもリチウムイオン電池等の蓄電池が自動車産業を始め、各種産業で普及期にある。マーケットでは、更なる蓄電性能の向上とともに大量生産に見合う生産性の向上が要望されている。
【０００３】
蓄電池は、利用アプリケーションによって、出力電力、電圧等の必要な電気的特性や、蓄電池のサイズ等、多種多様であることから、それらについても自由度の高い生産性が求められる。
このような背景から、通常、蓄電池装置は、任意の電気容量蓄電池セルを選択し、そのセルを任意に直並列に組合わせた蓄電池モジュールを用いる。また、蓄電池モジュールの複数連結により大電力に対応できるものもある。
【先行技術文献】
【特許文献】
【０００４】
【特許文献１】特開２０１５−１５３５３３号公報
【発明の概要】
【発明が解決しようとする課題】
【０００５】
特許文献１に開示されている技術は、電池モジュールを架台に取り付ける際の作業性改善により生産性の向上を図るものであるが、電池モジュールの外装構造が複雑である。また充放電用の電極のみの開示であり、電圧バランス制御用端子について開示されていないため、電池モジュール間の電圧バランス制御の可否が不明である。
【０００６】
更に、熱対策として冷却風の経路が確保されているが、電池モジュールの冷却風出入り口が電池モジュールを構成する一つの面に共存し、その開口の大きさ点において冷却能力が十分とはいえない。
【０００７】
本発明は、構造が極めて単純であるにも関わらず、セルモジュール間電圧バランス、及び蓄電池モジュール間電圧バランスの制御に対応する放熱性能の高い蓄電池モジュールを提供する。
【課題を解決するための手段】
【０００８】
請求項１に記載の発明では、対向する外装カバーと、その外装カバー内に収納される複数の電池セルと、その外装カバーに架かりその外装カバーを支持する互いに平行な三枚の支持板と、その三枚の支持板のうち一方の端側の支持板に充放電用端子と、他方の端側の支持板に制御コネクタと、を備えることを特徴とする蓄電池モジュールを提供する。
【０００９】
請求項２に記載の発明では、その対向する外装カバーは、同一部品であり、その三枚の支持板のうち二枚は、同一部品である請求項１に記載の蓄電池モジュールを提供する。
【００１０】
請求項３に記載の発明では、その制御コネクタには、入出力基板が接続する請求項１又は請求項２に記載の蓄電池モジュールを提供する。
【００１１】
請求項４に記載の発明では、その複数の電池セル間は、帯鋼を任意の長さで切断した複数の部材によって導通させることを特徴とする請求項１から請求項３のうちいずれか一の請求項に記載の蓄電池モジュールを提供する。
【００１２】
請求項５に記載の発明では、その部材の一部は、その一方の端側の支持板外側に露出し、その充放電用端子の一部を構成する請求項４に記載の蓄電池モジュールを提供する。
【００１３】
請求項６に記載の発明では、その部材の一部は、その一方の端側の支持板を貫通する請求項５に記載の蓄電池モジュールを提供する。
【００１４】
請求項７に記載の発明では、その複数の部材のうち一部の部材同士は、互いに交差し、交差部で接合することで、前述の複数の電池セル間を導通させる請求項６に記載の蓄電池モジュールを提供する。
【００１５】
請求項８に記載の発明では、その三枚の支持板のうち、中間の支持板に中継基板を備えることを特徴とする請求項１から請求項７のうちいずれか一の請求項に記載の蓄電池モジュールを提供する。
【００１６】
請求項９に記載の発明では、その複数の電池セルは、その対向する外装カバーによって挟持されることを特徴とする請求項１から請求項８のうちいずれか一の請求項に記載の蓄電池モジュールを提供する。
【００１７】
請求項１０に記載の発明では、その制御コネクタとその充放電用端子は、その外装カバーの内側に位置することを特徴とする請求項１から請求項９のうちいずれか一の請求項に記載の蓄電池モジュールを提供する。
【００１８】
ここで、「外装カバーの内側に位置する」とは、制御コネクタと充放電用端子の何れの部分も、対向する外装カバー間の何れの開口面から内側に配置されていることを意味する。つまり、本発明の蓄電池モジュールを平面部位に対していかなる向きに配置しても、平面部位と、制御コネクタ及び充放電用端子は物理的に接触しない。
【００１９】
請求項１１に記載の発明では、請求項３に記載の蓄電池モジュール組み立て方法を提供する。
【発明の効果】
【００２０】
請求項１に記載の発明によれば、対向する外装カバーと３枚の支持板により組み立て容易であって、シンプルな構造で電池セルを保持することができる。開口部の大きい構造のため放熱特性に優れ、電源系の経路と、制御系の経路間の距離を確保することで制御系への熱の影響を低減することができる。また、電池セル及び、蓄電池モジュールの電圧制御用のコネクタを備え同制御に対応する。
【００２１】
請求項２の発明によれば、対向する外装カバーと二枚の支持板は、それぞれ同一部品であるから、部材製造用金型数を低減することができる。
【００２２】
請求項３に記載の発明によれば、入出力基板上の端子台の使用により、蓄電池モジュール間のカスケード接続が容易となり、端子台を用いることで電圧制御電流の低抵抗かつ安定化を図ることができる。
【００２３】
請求項４に記載の発明によれば、複数の電池セル間を、帯鋼を任意の長さで切断した複数の部材によって導通させることから、導通部材製造用の金型が不要であり、部品管理および生産性が向上する。
【００２４】
請求項５に記載の発明によれば、その部材の一部は、前述の一方の端側の支持板外側に露出し、前述の充放電用端子の一部を構成するから、外部機器端子との間で電気抵抗を低くかつ安定させて導通させることができる。
【００２５】
請求項６に記載の発明によれば、その部材の一部は、前述の一方の端側の支持板を貫通するから、部材の一部はその支持板で拘束され、正極、負極間の不用意な短絡を防ぐことができる。
【００２６】
請求項７に記載の発明によれば、その複数の部材のうち一部の部材同士は、その部材が互いに交差し、交差部で接合するから、製造容易による生産性向上が図れ、また異種金属接触に起因する電食問題も生じない。
【００２７】
請求項８に記載の発明によれば、前述の三枚の支持板のうち、中間の支持板に中継基板を備えるから、配線処理が容易であって組み立て作業性に優れる。またその中間の支持板と中継基板の存在により断熱効果を高めることができる。
【００２８】
請求項９に記載の発明によれば、前述の複数の電池セルは、その対向する外装カバーによって挟持されるから、別途電池セルを外装カバーに装着するための部材や締結部品が不要であり、生産性向上に著しい効果がある。
【００２９】
請求項１０に記載の発明によれば、前述の制御コネクタと前述の充放電用端子は、その外装カバーの内側に位置するから、短絡に対する安全性を高めることができる。
【００３０】
請求項１１に記載の発明によれば、対向する外装カバーで電池セルを挟持しながら組み付ける方法であるから、製造時間の短縮を図ることができる。
【図面の簡単な説明】
【００３１】
【図１】本発明の実施形態における蓄電池モジュールの外観斜視図。
【図２】図１の蓄電池モジュールの分解図。
【図３】図１の蓄電池モジュールにおけるセルユニット分解図。
【図４】図１の蓄電池モジュールの充放電用端子の構造を示す分解図。
【図５】図１の蓄電池モジュールの入出力基板を示す斜視図。
【発明を実施するための形態】
【００３２】
図１は、蓄電池モジュール１００の外観斜視図である。
以下、図に示したそれぞれ互いに直交する３軸方向は、Ｌ方向が長さ方向、Ｗ方向が幅方向、Ｈ方向が高さ方向を示す。長さ方向Ｌ及び幅方向Ｗは水平面で互いに直交し、高さ方向Ｈは、水平面に垂直な上下方向をいう。
また「面」とは、特に指定の無い限り肉厚面以外の表裏二つの面を区別することなく意味する。
【００３３】
蓄電池モジュール１００は、所定間隔で対向する二つの同一形状の外装カバー１１０と、二つの外装カバー１１０に架かるコネクタ側支持板１３０、ナット側支持板１４０、中間支持板１５０を含む。各支持板は、それぞれ、外形が同一の略矩形であり、二つの外装カバー１１０を支持するため、互いに所定間隔で並設する。
【００３４】
二つの外装カバー１１０、コネクタ側支持板１３０、ナット側支持板１４０によって囲まれる空間は、中間支持板１５０によって二つの空間に仕切られ、それぞれ基板配線収納部１６０と、電池セル収納部１７０としての役割を担う。
【００３５】
コネクタ側支持板１３０は、二つの外装カバー１１０を支持するとともに、制御コネクタ４００（図２参照）を嵌通支持する。
基板配線収納部１６０には、後述するセルユニット２００と制御コネクタ４００間を中継するための中継基板１８０、中継基板１８０と制御コネクタ４００を接続するためのハーネス１９０（図２参照）が収納される。
【００３６】
中間支持板１５０とナット側支持板１４０は、同一の部品である。
中間支持板１５０は、二つの外装カバー１１０を支持するとともに、中継基板１８０を支持する。ナット側支持板１４０は、二つの外装カバー１１０を支持し、後述する正極、負極二つの充放電用端子２８０（図４参照）が配置される。
電池セル収納部１７０には、複数の電池セル２０１から構成されたセルユニット２００が収納される。
【００３７】
外装カバー１１０は、略矩形のねじ止め面１１１と板支持面１１２を有する。
板支持面１１２は、ねじ止め面１１１の上端、下端それぞれから、対向する他方の外装カバー１１０に向かって延出する。
すなわち、板支持面１１２は、一つの外装カバー１１０に２面存在し、それぞれ
ねじ止め面１１１に対し直角よりやや大きい角度を有する。
ねじ止め面１１１の外側の面と板支持面１１２の外側の面が接する部分は、曲面で連続するが、角または面取り加工形状のように平面で連続してもよい。
【００３８】
直角よりやや大きい角度とは、本実施形態において外装カバー１１０は、樹脂製であり製造上の金型抜き勾配を考慮したものである。蓄電池モジュール１００の通常の設置状態においては、ねじ止め面１１１は、垂直面と一致し、板支持面１１２は、水平面に対して少しだけ勾配を有する。
もっとも外装カバー１１０の材料は、樹脂製に限定するものではなく、金属製等任意の材料を選択できる。
【００３９】
ねじ止め面１１１は、コネクタ側支持板１３０、ナット側支持板１４０、中間支持板１５０をねじ固定するための孔１１３を有する。孔１１３は、一つの外装カバー１１０について、高さ方向の中心に対して対称になるように高さ方向に２か所ずつ、３枚の支持板をねじ固定できるように計６か所配置される。なお、孔１１３の数はこれに限定されるものではなく、任意の数とすることができる。
【００４０】
ねじ止め面１１１の外側の面には、蓄電池モジュール１００を不図示の蓄電池装置にスライド装着するための溝部１１４を有する。溝部１１４は、ねじ止め面１１１の長辺方向と平行に溝が形成されている。また、溝部１１４は、高さ方向においてねじ止め面１１１の中央部に位置し、ねじ止め面１１１高さ方向の２辺間に渡って形成されている。
孔１１３、溝部１１４を前述の通り配置することで、同一部品の外装カバー１１０を、対称に配置して使用することができる。
【００４１】
板支持面１１２には、コネクタ側支持板１３０、ナット側支持板１４０、中間支持板１５０のそれぞれの四隅を、挿嵌するための切欠き部１１５を有する。
切欠き部１１５は、長さ方向において各支持板の肉厚幅を考慮する長さ、幅方向において、各支持板を挿嵌させたときに、各支持板の高さ方向における肉厚面が、ねじ止め面１１１に当接する深さを有する。
【００４２】
切欠き部１１５は、一つの外装カバー１１０について、上下二つの板支持面１１２に３か所ずつ、計６か所設けられている。３枚の支持板それぞれの四隅は、支持板の厚み方向が挟持されるように、切欠き部１１５に挿嵌する。
【００４３】
なお、コネクタ側支持板１３０とナット側支持板１４０を挿嵌するための切欠き部１１５は、外装カバー１１０の長さ方向のそれぞれの端から所定の長さを確保して配置される。それにより、後述する制御コネクタ４００、充放電用端子２８０は、外装カバー１１０の長さ方向において、外装カバー１１０のそれぞれの端から内側に位置する。
例えば、誤って金属板の上に蓄電池モジュール１００を、ナット側支持板１４０が下面側になるように縦置きにした際に充放電用端子２８０同士の短絡事故を防ぐことができる。
【００４４】
図２は、蓄電池モジュール１００の分解図である。
制御コネクタ４００は、コネクタ側支持板１３０の嵌通孔１３１に基板配線収納部１６０側から嵌通する。制御コネクタ４００は、ハウジングにフランジ４１０を有し、コネクタ側支持板１３０の基板配線収納部１６０側の板面で係止する。また、嵌通孔１３１には、制御コネクタ４００の突出部４２０に嵌合する異方向挿入防止溝１３３を有し、制御コネクタ４００のコネクタ側支持板１３０へ異方向挿入を防ぐことができる。
【００４５】
中間支持板１５０は、中継基板１８０を支持するため、４カ所のねじ貫通用の孔を有する。中継基板１８０は、中間支持板１５０にスペーサ１８７を介し、ナット１８６を用いてねじで固定する。
【００４６】
中継基板１８０は、三端子コネクタ１８１、熱電対用コネクタ１８２及び中継コネクタ１８３を有する。三端子コネクタ１８１は、後述するセルモジュール２０２、２０３間の電圧測定と、セルバランス制御用電流供給の配線のためのものである。熱電対用コネクタ１８２は、後述するセルモジュール２０２、２０３の温度計測用熱電対ハーネスを配線するためのものである。中継コネクタ１８３は、制御コネクタ４００に結線するハーネス１９０と結線する。
【００４７】
中継基板１８０は、制御素子１８４を備える。制御素子１８４は、後述する電池セル２０１のＩＤ制御、不図示の蓄電池装置制御部への通信等の処理をする。
【００４８】
中継基板１８０を、中間支持板１５０に平行に配置することで、基板配線収納部１６０において、高さ方向の空気の流通路を確保することができる。また、中継基板１８０、中間支持板１５０、後述するスポンジ２６０は、電池セル収納部１７０と基板配線収納部１６０間の断熱効果を有し、制御素子１８４に対する熱の影響を迎える。
【００４９】
また、中継基板１８０は、蓄電池モジュール１００内の配線簡素化を図り、蓄電池モジュール１００の組み立て作業性向上に寄与する。特に、外装カバー１１０上での配線が不要のため、蓄電池モジュール１００の組み立ての最終段階において、二つの外装カバー１１０で各構成部品を挟持する組み立て方法が可能であり、極めて優れた組み立て作業性に貢献する。
【００５０】
ナット側支持板１４０と、中間支持板１５０間の電池セル収納部１７０には、
セルユニット２００が収納される。セルユニット２００は、後述する一つの電池セル２０１が２０個並列する二つのセルモジュール２０２、２０３を直列に連結する。
【００５１】
ナット側支持板１４０と、セルユニット２００間には、幅方向を正面としてセルユニット２００の側面を覆う略矩形の絶縁シート２５０が配置される。短絡防止のためのものである。
また、中間支持板１５０と、セルユニット２００間には、絶縁シート２５０と略同外形であって所定の厚みのスポンジ２６０が配置される。スポンジ２６０は、セルユニット２００の配置の際のスペーサ、および断熱の役割を有する。
【００５２】
ナット側支持板１４０の高さ方向肉厚面には、ねじ孔１４２を有する。ねじ孔１４２は、組み立て時に外装カバー１１０の孔１１３と同心上に位置し、ねじ止めにより外装カバー１１０とナット側支持板１４０を固定する。なお、同様にコネクタ側支持板１３０と、中間支持板１５０もねじ孔１４２を有する。
【００５３】
図３は、セルユニット２００の分解図である。
電池セル２０１は、一般的な円筒形状であって、両端それぞれに正電極、負電極を有する。電池セル２０１は、電極を同じ向きに１０個並列させて、それを二段に重ねる。これを一つのセルモジュール２０２とする。
【００５４】
この一つのセルモジュール２０２の下段には、電極を逆向きに配列するもう一つのセルモジュール２０３を重ねる。よって、セルユニット２００は、１０列に並んだ電池セル２０１が４段に重なり、計４０個の電池セル２０１から構成される。電気接続形式で言えば、電池セル２０１が２０個並列接続するセルモジュール２０２、２０３それぞれを互いに直列接続するものである。
【００５５】
この電池セル２０１の形状、電圧、電気容量は任意に選択可能であり、電池セル２０１の配列や個数も自在である。従って、ユーザは蓄電池モジュール１００の電圧、電気容量を自在に決定することができる。
【００５６】
セルユニット２００は、二つのセルホルダ２４０が、複数の電池セル２０１を整列した状態で支持する。セルホルダ２４０は、略矩形の板状であって、板面には、電池セル２０１の径と略同じ径の孔２４１が、電池セル２０１の個数分整列する。電池セル２０１の両電極部は、孔２４１に嵌合し、二つのセルホルダ２４０は、電池セル２０１の両電極側から電池セル２０１を挟持する。
【００５７】
セルホルダ２４０の電池セル２０１を挟持する側の板面とは他方の板面に、電池セル２０１の電極面の一部が当接する略矩形の当接部２４２を有する。当接部２４２は、孔２４１に沿うように配置され電池セル２０１の電極面の整列と後述するタブ２１０、タブ２２０、タブ２３０の位置決めの役割を有する。
【００５８】
各電池セル２０１は、タブ２１０、タブ２２０、タブ２３０によって、導通する。タブ２１０、２２０、２３０は、帯鋼を任意の長さで切断した薄板金属部材である。薄板金属部材は、ニッケル材を用いるが、任意の材料を選択できる。
【００５９】
セルユニット２００の一方の電極面には、タブ２１０が二つ並列する。一方のタブ２１０は、上段のセルモジュール２０２を構成する電池セル２０１の全ての正電極と接合し、他方のタブ２１０は、下段のセルモジュール２０３を構成する電池セル２０１の全ての負電極と接合する。なお、接合は、抵抗溶接による。
【００６０】
二つのタブ２１０は、セルモジュール２０２、２０３それぞれの両端に位置する電池セル２０１に沿う方向へ略直角に折れ曲がる。その折れ曲がり部からタブ２１０の先端に、余長部Ａ、余長部Ｂを有する。
【００６１】
余長部Ａの先端は、後述する充放電用端子２８０の一部を構成する。余長部Ｂは、三端子コネクタ１８１に結線する配線との接続部位である。
【００６２】
タブ２１０は、その短手方向の略中央部に、角孔２１１を有する。角孔２１１は、タブ２１０の長手方向に渡って所定のピッチで配置される。
【００６３】
セルホルダ２４０の当接部２４２は、角孔２１１に緩やかに嵌合し、タブ２１０の、電池セル２０１に対する接合位置決めが容易となり、セルユニット２００の組み立て作業性が向上する。
【００６４】
セルユニット２００の他方の電極面について説明する。タブ２２０は、縦方向（図３において上下方向）の電池セル２０１の全電極を２列ずつ接合する。よって横方向（図３において左右方向）１０列の電池セル２０１は、五つのタブ２２０によって、縦方向の電極がすべて接合される。接合は、前述同様に抵抗溶接による。
【００６５】
タブ２３０は、五つのタブ２２０に対して横断交差させるように配置し、交差部で五つのタブ２２０のそれぞれと接合する。タブ２２０、タブ２３０は、角孔２１１を有し、接合部の位置決めに当接部２４２を用いること、また抵抗溶接による接合であることは前述同様である。
【００６６】
以上のように、セルユニット２００の両電極面をタブ２１０、タブ２２０、タブ２３０によって接合することで、それぞれ並列に接続する二つのセルモジュール２０２、２０３を互いに直列に接続することができる。
【００６７】
また、タブ２１０、タブ２２０、タブ２３０は、汎用の帯鋼の薄板金属部材を、任意の長さで切断するだけのものであり、金型不要の安価かつ簡単な作業で、製造することができる。
【００６８】
図４は、蓄電池モジュール１００の正、負極の充放電用端子２８０の構造を示す分解図である。充放電用端子２８０は、鍔付きナット２８４、ボルト２８５、ワッシャー２８６、タブ２１０の余長部Ａの先端より構成される。なおナットは鍔付き形状に限定されるものでなく、いかなるナット形状でもよい。
【００６９】
ナット側支持板１４０には、二つの孔１４１を有する。孔１４１は、タブ２１０の余長部Ａを貫通させるスリットと、鍔付きナット２８４を貫通させるためのＵ字形状孔が一体となった形状である。孔１４１は、この形状に限定されず、例えば、独立したスリットと丸孔であっても良い。
【００７０】
前述の通り、電池セル２０１に沿う方向へ略直角に折れ曲がったタブ２１０の余長部Ａは、丁度、ナット側支持板１４０面のスリットの位置で電池セル２０１から離れる方向に略直角に折れ曲がる。余長部Ａは、スリットにおいてナット側支持板１４０を貫通し、ナット側支持板１４０の外側に露出する。更に、余長部Ａの先端は、その板面が鍔付きナット２８４の面と平行になる方向に略直角に折れ曲がる。
【００７１】
鍔付きナット２８４の鍔は、ナット側支持板１４０の電池セル収納部１７０側の面に当接し、後述するボルト２８５で締結時に係止する。
【００７２】
不図示の外部動力部と接続するためのバスバー３００の板面は、タブ２１０の板面の表面または裏面で、直接面接触するように連結する。タブ２１０とバスバー３００のそれぞれの板面は、ボルト２８５、鍔付きナット２８４間において、締結により、強固に密着する。
【００７３】
また、ワッシャー２８６は、ボルト２８５と鍔付きナット２８４が互いに緩むことを防止するとともに、タブ２１０または、バスバー３００に対する接触面積を増加させることができる。結果、充放電用端子２８０部における接触抵抗の低抵抗化を図ることができる。
【００７４】
上述の構造により、バスバー３００は、電池セル２０１に直接接合するタブ２１０と締結により直結するため、コネクタ接続と比較して極めて電気抵抗の低い安定した導通を確保することができる。また、電気抵抗による発熱を抑えることができる。
【００７５】
また、タブ２１０の余長部Ａは、孔１４１のスリットにおいて、ナット側支持板１４０面方向の動きが拘束されるため、両電極のタブ２１０間の短絡事故を防止することができる。
【００７６】
図５は、制御コネクタ４００に接続する入出力基板５００を示す斜視図である。入出力基板５００は、不図示の蓄電池装置に固定される。入出力基板５００は、基板コネクタ５２０、端子台５３０、及び通信コネクタ５４０を備える。
【００７７】
基板コネクタ５２０は、制御コネクタ４００と接続する。端子台５３０は、不図示の蓄電池装置に組み込まれる他の蓄電池モジュールをカスケード接続するためのものである。この接続により、蓄電池モジュール１００は、他の蓄電池モジュールとモジュール間の電圧バランス制御電流相互供給が可能になる。
【００７８】
また、電圧バランス制御電流供給用の端子台５３０を通信コネクタ５４０とは別に配置することで低抵抗の安定した制御電流の供給が可能になる。
通信コネクタ５４０は、不図示の蓄電池装置制御部と通信するためのものである。同制御部には、蓄電池モジュール１００の電圧、温度情報が、通信コネクタ５４０経由で送信される。
【００７９】
以上のように、蓄電池モジュール１００における主要な発熱部であるセルユニット２００、充放電用端子２８０を、中間支持板１５０を境とする一方側に集中させることで、制御系配線および制御コネクタ４００接続部と発熱部が離間し、熱による制御系への影響を抑制することができる。また、蓄電池モジュール１００の上下面は大半が開口している為、蓄電池モジュール１００自体の放熱効果が非常に高い。
【００８０】
更に、タブ２１０、２２０、２３０とハーネス１９０は、近接しないため、タブ２１０、２２０、２３０に流れる過渡電流によるハーネス１９０に対するカップリングノイズの影響を低減できる。入出力基板５００を、タブ２１０、２２０、２３０から離間させることで、入出力基板５００に対する同様の影響を抑えることができる。
【００８１】
図２に戻り、蓄電池モジュール１００の組み立て方法を説明する。
第一のステップは、中継基板１８０を中間支持板１５０に固定する。固定は、スペーサ１８７を介しねじの締結によって行う。
【００８２】
第二のステップは、三端子コネクタ１８１、熱電対用コネクタ１８２に結線する配線を中間支持板１５０の孔１４１に貫通させ、中継基板１８０上の各コネクタと接続する。三端子コネクタ１８１に結線する３本の配線は、予め組み立てられたセルユニット２００のタブ２１０、２２０、２３０にそれぞれ半田で接合する。熱電対用コネクタ１８２に結線されている熱電対はセルモジュール２０２、２０３それぞれ所定の位置にテープ固定する。半田の接合及びテープ固定は、孔１４１に配線を貫通させるステップの前でも後でも良い。また二つの孔１４１の何れに対しても配線を貫通させることができる。
【００８３】
第三のステップは、コネクタ側支持板１３０に制御コネクタ４００を、貫通させ、中継コネクタ１８３と制御コネクタ４００間をハーネス１９０によって結線する。
【００８４】
第四のステップは、タブ２１０の余長部Ａをナット側支持板１４０の孔１４１に貫通させるとともに、鍔付きナット２８４を孔１４１に配置する。
【００８５】
第五のステップは、一方の外装カバー１１０の切欠き部１１５にコネクタ側支持板１３０、ナット側支持板１４０、中間支持板１５０を嵌合させる。また、同時にセルユニット２００も外装カバー１１０の所定の位置に配置する。
【００８６】
第六のステップは、他方の外装カバー１１０を同様に３枚の各支持板に嵌合させ、各支持板をねじで固定後、制御コネクタ４００と基板コネクタ５２０を接続し、入出力基板５００を連結する。
【００８７】
以上の組み立て方法により、極めて簡単な組み立て手順で蓄電池モジュール１００の製造が可能であり、著しい生産性向上を図ることができる。
【００８８】
以上、本発明を実施するための形態について説明したが、本発明は本実施形態に限定されるものではなく、各請求項に記載した範囲内において変形を行うことができる。
【符号の説明】
【００８９】
１００            蓄電池モジュール
１１０            外装カバー
１３０            コネクタ側支持板
１４０            ナット側支持板
１５０            中間支持板
１８０            中継基板
１９０            ハーネス
２００            セルユニット
２５０            絶縁シート
２６０            スポンジ
２８０            鍔付きナット
３００            バスバー
４００            制御コネクタ
５００            入出力基板
【図１】
2019145419.tif 000003
【図２】
2019145419.tif 000004
【図３】
2019145419.tif 000005
【図４】
2019145419.tif 000006
【図５】
2019145419.tif 000007